(57)【要約】【課題】触媒のアンモニア発生化合物の貯蔵し易さが変動したときにも、多量のアンモニア発生化合物が触媒から排出されるのを阻止する。【解決手段】酸素過剰のもとでアンモニアにより排気ガス中のＮＯｘを還元するのに適した触媒２７を機関排気通路内に配置する。触媒２７に添加制御弁３２から尿素水溶液を供給し、触媒２７に供給された尿素の一部を触媒２７内に貯蔵すると共に触媒２７内に貯蔵されている尿素から発生したアンモニアにより排気ガス中のＮＯｘを還元する。触媒２７の貯蔵容量があらかじめ定められた許容上限容量よりも大きいか否かを判断し、触媒２７の貯蔵容量が該許容上限容量よりも大きいと判断されたときに尿素水溶液の供給を禁止する。触媒２７の尿素水溶液の貯蔵し易さを表す貯蔵易度に基づき触媒２７の貯蔵容量を補正し、補正された貯蔵容量が許容上限容量よりも大きいか否かを判断する。【選択図】図１
2008255936.tif 000002
【特許請求の範囲】
【請求項１】
酸素過剰のもとでアンモニアにより排気ガス中のＮＯｘを還元するのに適した触媒を機関排気通路内に配置し、該触媒にアンモニア発生化合物を供給するための供給手段と、該アンモニア発生化合物の供給量を制御するための供給制御手段とを具備し、該触媒は、触媒に供給された該アンモニア発生化合物の少なくとも一部を触媒内に貯蔵すると共に該触媒内に貯蔵されているアンモニア発生化合物からアンモニアを生成して該生成したアンモニアにより排気ガス中のＮＯｘを還元する機能を有し、該触媒の貯蔵容量があらかじめ定められた許容上限容量よりも大きいか否かを判断する判断手段をさらに具備し、前記供給制御手段は、該触媒の貯蔵容量が該許容上限容量よりも大きいと判断されたときにアンモニア発生化合物の供給を禁止する内燃機関の排気浄化装置であって、前記触媒のアンモニア発生化合物の貯蔵し易さを表す貯蔵易度に基づき該触媒の貯蔵容量を補正する補正手段をさらに具備し、前記判断手段は、該補正された貯蔵容量が許容上限容量よりも大きいか否かを判断する内燃機関の排気浄化装置。
【請求項２】
前記補正手段は、前記貯蔵易度が小さいときには該貯蔵易度が大きいときに比べて小さくなるように前記貯蔵容量を補正する請求項１に記載の内燃機関の排気浄化装置。
【請求項３】
前記貯蔵易度は、前記触媒の劣化度合いが大きいときには該触媒の劣化度合いが小さいときに比べて小さくなる請求項１に記載の内燃機関の排気浄化装置。
【請求項４】
前記貯蔵易度は、前記触媒における排気ガスの空間速度が高いときには該空間速度が低いときに比べて小さくなる請求項１に記載の内燃機関の排気浄化装置。
【請求項５】
前記触媒の貯蔵容量は、該触媒の温度が低いときには該触媒の温度が高いときに比べて大きくなっており、前記判断手段は、該触媒の温度が、該触媒の貯蔵容量が前記許容上限容量となる温度に設定された設定温度よりも低いときに該触媒の貯蔵容量が該許容上限容量よりも大きいと判断する請求項１に記載の内燃機関の排気浄化装置。
【請求項６】
前記補正手段は、前記貯蔵易度に基づき前記設定温度を補正し、前記判断手段は、該触媒の温度が該補正された設定温度よりも低いときに該触媒の貯蔵容量が該許容上限容量よりも大きいと判断する請求項５に記載の内燃機関の排気浄化装置。
【請求項７】
前記供給制御手段は、前記補正された触媒の貯蔵容量が前記許容上限容量よりも小さいと判断されたときにアンモニア発生化合物の供給を許容する請求項１に記載の内燃機関の排気浄化装置。
【発明の詳細な説明】
【技術分野】
【０００１】
本発明は内燃機関の排気浄化装置に関する。
【背景技術】
【０００２】
酸素過剰のもとでアンモニアにより排気ガス中のＮＯｘを還元するのに適した触媒を機関排気通路内に配置し、この触媒に尿素水溶液を供給し、触媒に供給された尿素の一部を触媒内に貯蔵すると共に触媒内に貯蔵されている尿素から発生したアンモニアにより排気ガス中のＮＯｘを還元するようにした内燃機関が公知である（特許文献１，２参照）。
【０００３】
【特許文献１】米国特許第５，６２８，１８６号明細書
【特許文献２】国際特許公開第９９／６７５１１号
【発明の開示】
【発明が解決しようとする課題】
【０００４】
上述の内燃機関では、触媒に供給された尿素の一部は触媒内にいったん貯蔵され、この貯蔵された尿素からアンモニアといった尿素由来物質が生成される。この尿素由来物質の一部はＮＯｘを還元するのに用いられ、残りはＮＯｘ還元に用いられることなく触媒から排出される。この場合、触媒から排出される尿素由来物質の量は触媒内に貯蔵された尿素の量が多くなるほど多くなる。したがって、触媒内に多量の尿素が貯蔵されると、多量の尿素由来物質が触媒から好ましくなく排出されるおそれがある。
【０００５】
この点、機関から排出されたＮＯｘの量に見合う量だけ尿素水溶液を触媒に供給するようにすれば、触媒内に多量の尿素が貯蔵されるのを阻止することができ、したがって多量の尿素由来物質が触媒から排出されるのを阻止できると考えられる。しかしながら、機関から排出されたＮＯｘ量又はこれに見合う尿素量を正確に求めるのは困難である。あるいは、触媒に貯蔵されている尿素の量を求め、この尿素貯蔵量が許容上限を越えないように触媒に供給される尿素水溶液の量を制御すれば、触媒内に多量の尿素が貯蔵されるのを阻止することができると考えられる。しかしながら、触媒に貯蔵されている尿素の量を正確に求めることは困難である。いずれにしても、触媒から多量の尿素由来物質が排出されるのを確実に阻止することができないという問題点がある。触媒に供給される尿素水溶液の量を減量すれば触媒内に多量の尿素が貯蔵されるのを阻止することができるけれども、この場合にはＮＯｘを良好に還元することができなくなる。
【０００６】
また、例えば触媒の劣化度合いや触媒における排気ガスの空間速度に応じて触媒の尿素の貯蔵し易さが変動するので、触媒の劣化度合い等をも考慮して触媒への尿素供給量を決定する必要がある。
【課題を解決するための手段】
【０００７】
前記課題を解決するために本発明によれば、酸素過剰のもとでアンモニアにより排気ガス中のＮＯｘを還元するのに適した触媒を機関排気通路内に配置し、該触媒にアンモニア発生化合物を供給するための供給手段と、該アンモニア発生化合物の供給量を制御するための供給制御手段とを具備し、該触媒は、触媒に供給された該アンモニア発生化合物の少なくとも一部を触媒内に貯蔵すると共に該触媒内に貯蔵されているアンモニア発生化合物からアンモニアを生成して該生成したアンモニアにより排気ガス中のＮＯｘを還元する機能を有し、該触媒の貯蔵容量があらかじめ定められた許容上限容量よりも大きいか否かを判断する判断手段をさらに具備し、前記供給制御手段は、該触媒の貯蔵容量が該許容上限容量よりも大きいと判断されたときにアンモニア発生化合物の供給を禁止する内燃機関の排気浄化装置であって、前記触媒のアンモニア発生化合物の貯蔵し易さを表す貯蔵易度に基づき該触媒の貯蔵容量を補正する補正手段をさらに具備し、前記判断手段は、該補正された貯蔵容量が許容上限容量よりも大きいか否かを判断する。
【発明の効果】
【０００８】
触媒のアンモニア発生化合物の貯蔵し易さが変動したときにも、多量のアンモニア発生化合物が触媒から排出されるのを阻止することができる。
【発明を実施するための最良の形態】
【０００９】
図１は本発明を圧縮着火式内燃機関に適用した場合を示している。なお、本発明はガソリン機関にも適用することができる。
【００１０】
図１を参照すると、１は機関本体、２は各気筒の燃焼室、３は各燃焼室２内にそれぞれ燃料を噴射するための電子制御式燃料噴射弁、４は吸気マニホルド、５は排気マニホルドをそれぞれ示す。吸気マニホルド４は吸気ダクト６を介して排気ターボチャージャ７のコンプレッサ７ａの出口に連結され、コンプレッサ７ａの入口はエアフローメータ８を介してエアクリーナ９に連結される。吸気ダクト６内には電気制御式スロットル弁１０が配置され、更に吸気ダクト６周りには吸気ダクト６内を流れる吸入空気を冷却するための冷却装置１１が配置される。図１に示される実施例では機関冷却水が冷却装置１１内に導かれ、機関冷却水によって吸入空気が冷却される。一方、排気マニホルド５は排気ターボチャージャ７の排気タービン７ｂの入口に連結され、排気タービン７ｂの出口は排気後処理装置２０に連結される。
【００１１】
排気マニホルド５と吸気マニホルド４とは排気ガス再循環（以下、ＥＧＲと称す）通路１２を介して互いに連結され、ＥＧＲ通路１２内には電気制御式ＥＧＲ制御弁１３が配置される。また、ＥＧＲ通路１２周りにはＥＧＲ通路１２内を流れるＥＧＲガスを冷却するための冷却装置１４が配置される。図１に示される実施例では機関冷却水が冷却装置１４内に導かれ、機関冷却水によってＥＧＲガスが冷却される。一方、各燃料噴射弁３は燃料供給管１５を介してコモンレール１６に連結され、このコモンレール１６は電子制御式の吐出量可変な燃料ポンプ１７を介して燃料タンク１８に連結される。燃料タンク１８内の燃料は燃料ポンプ１７によってコモンレール１６内に供給され、コモンレール１６内に供給された燃料は各燃料供給管１５を介して燃料噴射弁３に供給される。
【００１２】
排気後処理装置２０は排気管２１を介して排気タービン７ｂの出口に連結された上流側触媒コンバータ２２と、排気管２３を介して上流側触媒コンバータ２２に連結された下流側触媒コンバータ２４とを具備する。上流側触媒コンバータ２２内には上流側から順に触媒２５及び触媒２６が配置され、下流側触媒コンバータ２４内には上流側から順に触媒２７及び触媒２８が配置される。触媒２５，２６，２８は酸化機能を有する触媒、例えば酸化触媒又は三元触媒から構成される。これに対し、触媒２７は酸素過剰のもとでアンモニアにより排気ガス中のＮＯｘを還元するのに適したＮＯｘ選択還元触媒から構成される。また、触媒２５，２７，２８はハニカム担体上に担持されており、触媒２６は排気ガス中の微粒子を捕集するためのパティキュレートフィルタ上に担持されている。排気管２３には下流側触媒コンバータ２４内に流入する排気ガスの温度を検出するための温度センサ２９が配置される。下流側触媒コンバータ２４内に流入する排気ガスの温度は触媒２７の温度を表している。
【００１３】
一方、アンモニアを発生するアンモニア発生化合物を含む液体がタンク３０内に貯えられており、タンク３０内に貯えられているアンモニア発生化合物を含む液体は供給ポンプ３１及び電磁制御式添加制御弁３２を介して排気管２３内に供給される。
【００１４】
電子制御ユニット４０はデジタルコンピュータからなり、双方向性バス４１によって互いに接続されたＲＯＭ（リードオンリメモリ）４２、ＲＡＭ（ランダムアクセスメモリ）４３、ＣＰＵ（マイクロプロセッサ）４４、入力ポート４５及び出力ポート４６を具備する。エアフローメータ８は吸入空気量に比例した出力電圧を発生し、この出力電圧は対応するＡＤ変換器４７を介して入力ポート４５に入力される。一方、温度センサ２９の出力信号はそれぞれ対応するＡＤ変換器４７を介して入力ポート４５に入力される。アクセルペダル４９にはアクセルペダル４９の踏み込み量に比例した出力電圧を発生する負荷センサ５０が接続され、負荷センサ５０の出力電圧は対応するＡＤ変換器４７を介して入力ポート４５に入力される。さらに、入力ポート４５にはクランクシャフトが例えば３０°回転する毎に出力パルスを発生するクランク角センサ５１が接続される。一方、出力ポート４６は対応する駆動回路４８を介して燃料噴射弁３、スロットル弁１０駆動装置、ＥＧＲ制御弁１３、燃料ポンプ１７、供給ポンプ３１、及び添加制御弁３２に接続される。
【００１５】
さて、前述したように触媒２７上流の排気管２３内にはアンモニア発生化合物を含む液体が供給される。アンモニアを発生しうるアンモニア発生化合物については種々の化合物が存在し、したがってアンモニア発生化合物として種々の化合物を用いることができる。本発明による実施例ではアンモニア発生化合物として尿素を用いており、アンモニア発生化合物を含む液体として尿素水溶液を用いている。したがって以下、触媒２７上流の排気管２３内に尿素水溶液を供給する場合を例にとって本発明を説明する。
【００１６】
一方、前述したように触媒２７はＮＯｘ選択還元触媒からなり、図１に示す実施例ではこのＮＯｘ選択還元触媒としてチタニアを担体とし、この担体上に酸化バナジウムを担持した触媒Ｖ２Ｏ５／ＴｉＯ２（以下、バナジウム・チタニア触媒という。）、又はゼオライトを担体とし、この担体上に銅を担持した触媒Ｃｕ／ＺＳＭ５（以下、銅ゼオライト触媒という。）が用いられている。
【００１７】
過剰酸素を含んでいる排気ガス中に尿素水溶液を供給すると排気ガス中に含まれるＮＯは触媒２７上において尿素ＣＯ（ＮＨ２）２から発生するアンモニアＮＨ３により還元される（例えば２ＮＨ３＋２ＮＯ＋１／２Ｏ２→２Ｎ２＋３Ｈ２Ｏ）。
【００１８】
すなわち、供給された尿素水溶液中の尿素はまず触媒２７上に付着する。このとき触媒２７の温度が例えばほぼ３５０℃以上のように高ければ尿素が一気に熱分解してアンモニアが発生される。
【００１９】
一方、触媒２７の温度がほぼ１３２℃からほぼ３５０℃までのときには尿素が触媒２７内にいったん貯蔵され、次いで触媒２７内に貯蔵されている尿素からアンモニアが少しずつ発生され放出される。この場合のアンモニア発生は触媒２７上において尿素が形態変化するためであると考えられている。すなわち、尿素はほぼ１３２℃においてビウレットに変化し、ビウレットはほぼ１９０℃においてシアヌル酸に変化し、シアヌル酸はほぼ３６０℃においてシアン酸又はイソシアン酸に変化する。あるいは、触媒２７内に貯蔵されてからの経過時間が長くなるにつれて尿素はビウレットに変化し、ビウレットはシアヌル酸に変化し、シアヌル酸はシアン酸又はイソシアン酸に変化する。このような形態変化の過程で少しずつアンモニアが発生するものと考えられている。
【００２０】
触媒２７の温度が尿素の熱分解温度であるほぼ１３２℃以下のときに触媒２７に尿素水溶液を供給すると尿素水溶液中の尿素は触媒２７内に貯蔵され、このとき貯蔵された尿素からはアンモニアはほとんど発生しない。
【００２１】
しかしながら、その後に例えば機関加速運転が行われて触媒２７の温度が高くなると、触媒２７内に貯蔵されている尿素から上述したアンモニア、ビウレット、シアヌル酸、シアン酸又はイソシアン酸などが生成され、さらにこれら生成物と排気ガス中の炭化水素ＨＣとが反応してシアン化水素が生成される場合がある。このようにして尿素から生成される尿素由来物質の一部は排気ガス中のＮＯｘを還元するのに用いられるが、残りはＮＯｘ還元することなく触媒２７から排出されてしまう。
【００２２】
触媒２７から排出される尿素由来物質の量は触媒２７内に貯蔵された尿素の量が多くなるほど多くなる。したがって、触媒２７内に多量の尿素が貯蔵されると、多量の尿素由来物質が触媒２７から好ましくなく排出されるおそれがある。
【００２３】
一方、触媒２７内に貯蔵され得る尿素の量には限界があり、すなわち触媒２７内には貯蔵容量までしか尿素を貯蔵することができない。この貯蔵容量は触媒２７の雰囲気例えば触媒２７の温度に応じて変動し、したがって触媒２７の貯蔵容量が大きいときには触媒２７内に多量の尿素を貯蔵することができ、触媒２７の貯蔵容量が小さいときには触媒２７内に少量の尿素しか貯蔵することができない。
【００２４】
そうすると、触媒２７の貯蔵容量が大きいときに触媒２７への尿素水溶液の供給を禁止すれば、触媒２７内に多量の尿素が貯蔵されるのを阻止することができる。これが本発明の基本的な考え方である。
【００２５】
すなわち本発明による実施例では、触媒２７の貯蔵容量があらかじめ定められた許容上限容量よりも大きいか否かが判断され、触媒２７の貯蔵容量が許容上限容量よりも大きいと判断されたときには尿素水溶液の供給が禁止される。この場合、触媒２７の貯蔵容量を直接求めるのは困難である。一方、触媒２７の貯蔵容量ＳＣは図２に示されるように、触媒２７の温度ＴＣが低いときには高いときに比べて大きくなり、触媒２７の温度ＴＣがＴＣＸのときに触媒２７の貯蔵容量ＳＣが許容上限量ＳＣＵとなる。
【００２６】
そこで本発明による実施例では、触媒２７の貯蔵容量ＳＣが許容上限容量ＳＣＵとなる温度ＴＣを設定温度ＴＣＸに設定し、触媒２７の温度ＴＣがこの設定温度ＴＣＸよりも低いときに触媒２７の貯蔵容量ＳＣが許容上限容量ＳＣＵよりも大きいと判断するようにし、このとき尿素水溶液の供給が禁止される。一方、触媒２７の温度が設定温度ＴＣＸよりも高いときには触媒２７の貯蔵容量ＳＣが許容上限容量ＳＣＵよりも小さいと判断され、このとき尿素水溶液の供給が許容される。すなわち、例えば機関から排出されるＮＯｘ量に応じた量だけ尿素水溶液が触媒２７に供給される。このようにすると、触媒２７内に貯蔵された尿素の量が許容上限容量ＳＣＵを越えることがない。したがって、触媒２７内に実際に貯蔵されている尿素量を求めなくても、多量の尿素が触媒２７内に貯蔵されるのを阻止することができる。
【００２７】
許容上限容量ＳＣＵはどのように設定してもよい。例えば、触媒２７からその後に排出される尿素由来物質、例えばアンモニア、シアン化水素、及びイソシアン酸のうち少なくとも一つの濃度がそれぞれの許容上限値を越えないように、許容上限容量ＳＣＵを設定することができる。あるいは、触媒２７からその後に排出されるアンモニア、シアン化水素、及びイソシアン酸すべての濃度がそれぞれの許容上限値を越えないように、許容上限容量ＳＣＵを設定することもできる。
【００２８】
ところで、触媒２７のＮＯｘ浄化率ＥＦＦは図３に示されるように、触媒２７の温度ＴＣが下限温度ＴＣＥＬよりも低いか又は上限温度ＴＣＥＨよりも高いと許容下限率ＥＦＦＬよりも低くなり、触媒２７の温度ＴＣが下限温度ＴＣＥＬから上限温度ＴＣＥＨまでであると許容下限率ＥＦＦＬよりも高くなる。上述した設定温度ＴＣＸはこの下限温度ＴＣＥＬよりも高くなっている。
【００２９】
ここで、例えば機関が始動された後の尿素水溶液の供給開始タイミングについて考える。図４においてＸで示されるように機関が始動されると、触媒２７の温度ＴＣが徐々に上昇する。このとき尿素水溶液の供給は停止されている。次いで、図４にＹで示されるように触媒２７の温度ＴＣが下限温度ＴＣＥＬに達しても、尿素水溶液の供給は開始されない。次いで図４にＺで示されるように触媒２７の温度ＴＣが設定温度ＴＣＸに達すると、尿素水溶液の供給が開始される。すなわち、本発明による実施例では、触媒２７がＮＯｘ還元のために十分に活性化していても尿素水溶液の供給が開始されず、触媒２７の温度ＴＣが多量の尿素由来物質の排出を阻止できる温度まで上昇するとようやく尿素水溶液の供給が開始されるのである。
【００３０】
さて、時間の経過と共に触媒２７が劣化する。触媒２７が劣化すると尿素水溶液が触媒２７に貯蔵されにくくなり、触媒２７の貯蔵容量ＳＣが小さくなる。その結果、触媒２７の貯蔵容量ＳＣが許容上限容量ＳＣＵとなる温度である設定温度ＴＣＸは触媒２７が劣化すると低くなる。すなわち、図５に示されるように、触媒２７が新品のときすなわち触媒２７の劣化度合いＤＴがゼロのときの設定温度ＴＣＸを基本設定温度ＴＣＸＢと称すれば、触媒２７の劣化度合いＤＴが大きくなると設定温度ＴＣＸは基本設定温度ＴＣＸＢよりも低くなり、触媒２７の劣化度合いＤＴが大きいときには劣化度合いＤＴが小さいときに比べて設定温度ＴＣＸは低くなる。
【００３１】
したがって、触媒２７が劣化したときにも触媒２７の温度ＴＣが基本設定温度ＴＣＸＢよりも低いということで尿素水溶液の供給を禁止するようにすると、触媒２７の実際の貯蔵容量ＳＣが許容上限容量ＳＣＵよりも少ないにもかかわらず尿素水溶液の供給が禁止されることになる。
【００３２】
そこで本発明による実施例では、図６に示されるように触媒２７の劣化度合いＤＴが大きいときには小さいときに比べて小さくなる補正係数ｋを導入し、この補正係数ｋでもって基本設定温度ＴＣＸＢを補正することにより設定温度ＴＣＸを算出するようにしている（ＴＣＸ＝ＴＣＸＢ・ｋ）。触媒２７の温度ＴＣがこのようにして補正された設定温度ＴＣＸよりも低いときには尿素水溶液の供給が禁止される。その結果、触媒２７が劣化したときに、触媒２７の貯蔵容量ＳＣが許容上限容量ＳＣＵよりも小さいときに尿素水溶液の供給が禁止されるのが阻止される。
【００３３】
なお、触媒２７ｂの劣化度合いＤＴは例えば触媒２７内に流入したＨＣの積算量や触媒２７の温度の積算値によって表すことができる。
【００３４】
図７は本発明による実施例の尿素水溶液の供給制御を実行するためのルーチンを示しており、このルーチンは一定時間毎の割込みによって実行される。
【００３５】
図７を参照するとまず初めにステップ１００において図６のマップから補正係数ｋが算出される。続くステップ１０１では設定温度ＴＣＸが補正される（ＴＣＸ＝ＴＣＸ・ｋ）。続くステップ１０２では触媒２７の温度ＴＣが補正された設定温度ＴＣＸよりも低いか否かが判別される。ＴＣ≧ＴＣＸのときには次いでステップ１０３に進み、尿素水溶液の供給が許容される。これに対し、ＴＣ＜ＴＣＸのときには次いでステップ１０４に進み、尿素水溶液の供給が禁止される。
【００３６】
次に、本発明による別の実施例を説明する。
【００３７】
触媒２７における排気ガスの空間速度が高くなると尿素水溶液が触媒２７に貯蔵されにくくなり、触媒２７の貯蔵容量ＳＣが小さくなる。逆に、触媒２７における排気ガスの空間速度が低くなると尿素水溶液が触媒２７に貯蔵されやすくなり、触媒２７の貯蔵容量ＳＣが大きくなる。その結果、触媒２７の貯蔵容量ＳＣが許容上限容量ＳＣＵとなる温度である設定温度ＴＣＸは触媒２７における空間速度が高くなると大きくなり、空間速度が低くなると大きくなる。すなわち、図８に示されるように、触媒２７における排気ガスの空間速度ＳＶがあらかじめ定められた基本空間速度ＳＶＢのときの設定温度ＴＣＸを基本設定温度ＴＣＸＢと称すれば、空間速度ＳＶが高くなると設定温度ＴＣＸは基本設定温度ＴＣＸＢよりも低くなり、空間速度ＳＶが低くなると設定温度ＴＣＸは高くなる。
【００３８】
そこで本発明による実施例では、図９に示されるように触媒２７における排気ガスの空間速度ＳＶが高いときには低いときに比べて小さくなる補正係数ｋを導入し、この補正係数ｋでもって基本設定温度ＴＣＸＢを補正することにより設定温度ＴＣＸを算出するようにしている（ＴＣＸ＝ＴＣＸＢ・ｋ）。触媒２７の温度ＴＣがこのようにして補正された設定温度ＴＣＸよりも低いときには尿素水溶液の供給が禁止される。すなわち、本発明による別の実施例では、図７のステップ１００において図９のマップから補正係数ｋが算出される。
【００３９】
ここで、触媒２７のアンモニア発生化合物の貯蔵し易さを貯蔵易度で表すとすると、触媒２７の劣化度合いが大きいときには小さいときに比べて触媒２７の貯蔵易度が小さくなり、触媒２７における排気ガスの空間速度が高いときには低いときに比べて触媒２７の貯蔵易度が小さくなる。そうすると、一般化して言えば、触媒２７の貯蔵易度に基づき触媒２７の貯蔵容量を補正し、補正された貯蔵容量が許容上限容量よりも大きいか否かを判断しているということになる。この場合、貯蔵易度が小さいときには貯蔵易度が大きいときに比べて小さくなるように貯蔵容量が補正される。
【図面の簡単な説明】
【００４０】
【図１】内燃機関の全体図である。
【図２】触媒の貯蔵容量を示す線図である。
【図３】ＮＯｘ浄化率を示す線図である。
【図４】本発明による実施例を説明するためのタイムチャートである。
【図５】触媒の劣化度合いに応じて変動する触媒の貯蔵容量を示す線図である。
【図６】補正係数のマップを示す線図である。
【図７】尿素水溶液の供給制御ルーチンを示すフローチャートである。
【図８】触媒における排気ガスの空間速度に応じて変動する触媒の貯蔵容量を示す線図である。
【図９】本発明による別の実施例における補正係数のマップを示す線図である。
【符号の説明】
【００４１】
１    機関本体
５    排気マニホルド
２７    触媒
２９    温度センサ
３２    添加制御弁
【図１】
2008255936.tif 000003
【図２】
2008255936.tif 000004
【図３】
2008255936.tif 000005
【図４】
2008255936.tif 000006
【図５】
2008255936.tif 000007
【図６】
2008255936.tif 000008
【図７】
2008255936.tif 000009
【図８】
2008255936.tif 000010
【図９】
2008255936.tif 000011